(57)【要約】【課題】  車いす利用者が、介助者の手を借りずに容易に車輪に付着した汚れを落とす洗浄装置を提供する。【解決手段】  洗浄具を設けた洗浄水貯水槽の中で、車いす利用者が介助者の手を借りることなく、自ら車いすの車輪を回転させることによって、洗浄具および洗浄水で車輪を洗浄する。【選択図】  図１
2005126025.tif 000002
【特許請求の範囲】
【請求項１】
車いすの車輪が挟まる間隔で平行に配置した二本の一方向だけに自由に回転するローラーと、前記車輪の下部に接触可能な車輪洗浄用具と、を設置した洗浄水貯水槽を備えた車輪ガイドレールの中に車いすを乗り入れて車輪に付着した汚れを落とす車いす車輪洗浄装置であって、モーター等の駆動力を必要とせず、車いす利用者が自力で車いすの車輪を洗浄できることを特徴とする車いす車輪洗浄装置。
【請求項２】
前記洗浄水貯水槽の中に、常に汚れのない洗浄水を供給できる給排水口を備えていることを特徴とする請求項１記載の車いす車輪洗浄装置。
【請求項３】
車いすの車輪が挟まる間隔で平行に配置した二本の一方向だけに自由に回転するローラーを設置した車輪乾燥台を備えた車輪ガイドレールに、濡れた車輪を乾燥させるための空気を突出させる送風口を備えたことを特徴とする請求項１記載の車いす車輪洗浄装置。
【発明の詳細な説明】
【技術分野】
【０００１】  本発明は、車いすの車輪に付着した汚れを除去するために使用する車いすの車輪洗浄装置に関するものである。
【背景技術】
【０００２】  従来、車いす利用者が外出先から自宅あるいは病院、福祉施設に入る際、そのまま入るか、または介助者が雑巾等を用いて車輪に付着した汚れを拭き取っていた。そのため、車いすの車輪に付着した汚れを除去するために、車輪の洗浄装置が検討されている。
【特許文献】  特開平０８−３０８８７９号
【特許文献】  特開平０９−１０８２６６号
【発明の開示】
【発明が解決しようとする課題】
【０００３】  かかる車輪洗浄装置においては、乾式のものと湿式のものがあり、乾式においてはブラシ等で塵や埃を除去するものの、車輪に付着した汚れを除去するという観点からは、依然として課題を残すものである。また、湿式においては貯水槽に水を溜めるという作業が必要であり、また洗浄後に汚れた洗浄水を捨てるという別の作業が必要であり、この作業は介助者に頼らざるを得ないため、車いす利用者が自身で車いすの車輪を洗浄することができない。また、乾式および湿式においても車輪を回転させるための駆動部およびセンサー等の設置が必要であり、大がかりで複雑な構造となり、車いす利用者が車輪の洗浄に一番気を使う個人の自宅への設置は不向きである。
本発明は、これらの問題点を解決するためになされたものである。
【課題を解決するための手段】
【０００４】  車いすの左右両車輪が通過できる間隔に設けた車輪ガイドレールの中に、車輪洗浄具および一方向だけに自由に回転する一対のローラーを備えた洗浄水貯水槽を設け、その中に車いすを乗り入れ、車いすの後輪を前記一対のローラーの間に挟み、車いす利用者が自ら車いすの後輪を回転させながら、前記洗浄水貯水槽の中の前記車輪洗浄具および洗浄水によって車輪を洗浄する。
次に車いすを前進させ、車輪ガイドレールの中に設けた車輪乾燥台に乗り入れ、車輪乾燥台に備えた一方向にだけ自由に回転する一対の回転ローラーの上で車いすの後輪を回転させながら濡れた車輪を乾燥させる。
以上を特徴とする車いす車輪洗浄装置。
【発明の効果】
【０００５】  車いす利用者が介助者の手を借りずに、車いすに乗ったまま車いすの後輪を回転させるハンドリムを操作するだけで、他に何ら駆動力を必要とすることなく車輪洗浄具および洗浄水によって、車輪に付着した汚れを洗浄することができる。また、洗浄後は車輪乾燥台の上で上記同様車輪を回転させながら車輪を乾燥させることができる。
【発明を実施するための最良の形態】
【０００６】  以下、本発明の実施の形態について説明する。
（イ）車いす利用者が自力で登れる程度の傾斜をつけたすべり止め式スロープ（３）（９）および洗浄水貯水槽（５）、車輪洗浄具（６）を設けた車輪ガイドレール（４）を左右の車輪の幅に合わせた間隔で２基平行に設け、底板（１５）で固定する。
（ロ）洗浄水貯水槽（５）の中に反時計回りにのみ回転する一方向回転ローラー（１６）を、車いすの後輪が挟まる程度の間隔で二本水平方向に平行に設け、洗浄水貯水槽（５）の側壁に軸を固定する。
（ハ）車輪洗浄具（６）は例えばブラシ等で、洗浄水貯水槽（５）の底部と内側壁に、洗浄水貯水槽（５）の中に乗り入れた車いすの車輪が接触するように設ける。
（ニ）洗浄水貯水槽（５）の側壁に、洗浄水を流し込むための給水口（１１）を設け、給水口（１１）に洗浄水を誘導するための給水管（１）を設ける。
（ホ）洗浄水貯水槽（５）から洗浄水が溢れず、また一定の水量を保てるよう洗浄水貯水槽（５）の側壁に排水口（１２）を設け、排水口（１２）から洗浄水を本装置の外部に誘導するための排水管（２）を設ける。
（ヘ）洗浄水は水道水の蛇口からホース等で給水管（１）に繋いで洗浄水貯水槽（５）に供給し、必要に応じて洗浄水貯水槽（５）に直接洗剤等を流し込んでよい。
（ト）洗浄水貯水槽（５）から排水管（２）を伝わって流れ出る洗浄後の洗浄水は、排水管（２）にホース等をつないで下水溝に誘導する。
（チ）車輪ガイドレール（４）の中に、車いすの濡れた車輪を乾かすための車輪乾燥台（８）を設け、車輪乾燥台（８）の上部に車いすの後輪が挟まる程度の間隔で反時計回りにのみ回転する一方向回転ローラー（７）を二本水平方向に平行に設け、一方向回転ローラー（７）の軸を車輪ガイドレール（４）の側壁に固定する。
（リ）本装置の外部から空気を送り込むための送風管（１０）を設け、送風管（１０）から流れる空気を車輪乾燥台（８）全体に誘導するための送風口（１３）を車輪ガイドレールの側壁に設ける。送風管（１０）の先端には小型のコンプレッサーや布団乾燥機等、空気を噴出す装置を繋げられるようにする。
（ヌ）給水管（１）、排水管（２）および送風管（１０）の全体が露出せずに破損の危険をなるべく避けるべく、本装置の中央にカバー（１４）を設ける。
本発明は以上のような構成で、これを使用するときは、給水管（１）から給水口（１１）を通して洗浄水貯水槽（５）に洗浄水を貯め、利用者は車いすに乗ったまますべり止め式スロープ（３）を登り、車輪を洗浄水貯水槽（５）の中に乗り入れる。車いすの後輪（１９）が二本の一方向回転ローラー（１６）の間に挟まる位置に車いすを移動し、車いすのハンドリム（２０）を手前に回して車いす後輪（１９）を時計回りに回転させると、一方向回転ローラー（１６）も同時に反時計回りに回転するため、車いすは後方に移動せずに車いす後輪（１９）だけが回転しながら車輪洗浄具（６）によって車輪を洗浄する。車いす後輪を数回転させ、車輪に付着した汚れが落ちたらハンドリム（２０）を前方に回し、車いす後輪（１９）を反時計回りに回転させて車いすを前方に移動する。この時一方向回転ローラー（１６）は回転せず、車いすの後輪（１９）は容易に二本の一方向回転ローラー（１６）から脱し、前方に移動することができる。また、車いすが洗浄水貯水槽（５）に進入してから車いす後輪（１９）が一方向回転ローラー（１６）を脱するまでの間に、車いす前輪（１８）が洗浄水貯水槽（５）の中で数回転するため、車いす前輪（１８）は車輪洗浄具（６）によって洗浄される。車いすを更に前方に移動させて車輪乾燥台（８）に乗り入れ、車いす後輪（１９）を二本の一方向回転ローラー（７）の間に挟まる位置に移動させ、上記同様に車いすのハンドリム（２０）を手前に回して車いす後輪（１９）を時計回りに回転させる。車輪乾燥台（８）の上では、送風管（１０）に繋がれたコンプレッサーまたは布団乾燥機等から送られる空気が送風口（１３）から噴出しているため、車いす前輪（１８）および車いす後輪（１９）を乾燥させることができる。コンプレッサーや布団乾燥機等の装置が無い場合には、片方の手に乾いた雑巾や吸湿性の高い布等を持ち、もう片方の手でハンドリム（２０）を後方に回して車いす後輪（１９）を回転させながら濡れた車輪を拭き取ってもよい。車輪が乾燥したらハンドリム（２０）を前方に回し、車いす後輪（１９）を反時計回りに回転させて車いすを前方に移動する。この時上記同様一方向回転ローラー（７）は回転せず、車いすの後輪（１９）は容易に二本の一方向回転ローラー（７）から脱し、前方に移動することができる。車いすを更に前方に移動して、すべり止め式スロープ（９）を伝わって本装置から降りる。
【実施例１】
【０００７】  給水管（１）の途中に洗浄水貯水槽（５）の中の一方向回転ローラー（１６）と連動する開閉弁を設け、一方向回転ローラー（１６）が回転している間、弁が開いて給水口（１１）から自動的に洗浄水を洗浄水貯水槽（５）に供給するようにしてもよい。
また、同様に送風管（１０）の途中に、車輪乾燥台（８）の上部の一方向回転ローラー（７）と連動する開閉弁を設け、一方向回転ローラー（７）が回転している間、弁が開いて送風口（１３）から自動的に空気が流れ出るようにしてもよい。
【図面の簡単な説明】
【０００８】
【図１】  本発明の斜視図
【図２】  本発明の一部を解体した図
【図３】  本発明の一部を切り欠いた図
【図４】  実施例を示す側面図１
【図５】  実施例を示す側面図２
【図６】  実施例を示す側面図３
【図７】  車いすの正面図
【図８】  車いすの側面図
【符号の説明】
【０００９】    １  給水管
２  排水管
３  すべり止め式スロープ
４  車輪ガイドレール
５  洗浄水貯水槽
６  車輪洗浄具
７  一方向回転ローラー
８  車輪乾燥台
９  すべり止め式スロープ
１０  送風管
１１  給水口
１２  排水口
１３  送風口
１４  カバー
１５  底板
１６  一方向回転ローラー
１７  車いす本体
１８  車いす前輪
１９  車いす後輪
２０  ハンドリム
【図１】
2005126025.tif 000003
【図２】
2005126025.tif 000004
【図３】
2005126025.tif 000005
【図４】
2005126025.tif 000006
【図５】
2005126025.tif 000007
【図６】
2005126025.tif 000008
【図７】
2005126025.tif 000009
【図８】
2005126025.tif 000010